(57)【要約】      （修正有）【課題】雪掻き部材を上方に引き上げる際には雪による抵抗を小さくし、雪掻き時には、雪受け面の面積を大きくして一度に大量の雪掻きができる屋根の雪降し装置を提供する。【解決手段】雪掻き部材１は、固定下板と、その上端縁にヒンジにより結合された可動上板とからなっており、屋根の斜面上を上下に移動させる。雪掻き部材起立保持具２は、固定下板と一体的に移動し、雪掻き部材１が下方向に移動する際に、可動上板の先端部を係止して、可動上板が起立した状態に保持する。雪掻き部材１が屋根の下端部に達した時、係止起立保持具押上具３により雪掻き部材起立保持具２を押し上げて係止を解除し、可動上板が屋根側に倒れるようにする。雪掻き部材１が屋根Ｒの上端部に引き上げられてきた時、雪掻き部材起立ガイド板４により、可動上板の先端部を雪掻き部材起立保持具２に係止させる。【選択図】図１
2017066734.tif 000002
【特許請求の範囲】
【請求項１】
屋根の斜面上に横方向に、下端縁が屋根の上面に接し、上端縁が下端縁より屋根の斜面の上方向に位置するように配設される固定下板と、該固定下板の上端縁に下端縁がヒンジ結合され、上端縁が屋根の斜面上側表面から上方まで回動可能な可動上板とからなり、屋根の斜面上を上下に移動する雪掻き部材と、
前記雪掻き部材の固定下板と一体的に移動し、前記雪掻き部材が屋根の斜面を下方向に移動する際に、前記可動上板の先端部を係止して、可動上板が起立した状態に保持する雪掻き部材起立保持具と、
前記屋根の斜面下端部に設けられ、前記雪掻き部材が屋根の下端部に達した時、前記雪掻き部材起立保持具を押し上げて前記可動上板の先端部と雪掻き部材起立保持具との係止を解除して、可動上板を屋根の上面に倒す係止起立保持具押上具と、
前記屋根の斜面上端部に設けられ、可動上板が屋根の上面に倒れた状態で上に移動してきた前記雪掻き部材の可動上板の先端部を上方に案内して、該先端部を前記雪掻き部材起立保持具に係止させる雪掻き部材起立ガイド板とを具えたことを特徴とする屋根の雪降し装置。
【請求項２】
前記雪掻き部材を屋根の斜面に沿って引き上げる際に、前記可動上板の先端部に振動を与えることを特徴とする請求項１に記載の屋根の雪降し装置。
【請求項３】
前記可動上板の先端部長さ方向に、鋸刃を摺動可能に設け、前記雪掻き部材を屋根の斜面を引き上げる際に、前記鋸刃を左右交互に繰り返し摺動させることを特徴とする請求項１又は２に記載の屋根の雪降し装置。
【請求項４】
屋根上面の左右両側に、屋根斜面の上下方向にレールを配設し、該レールの内の一方に、該レールの上を移動可能な駆動部基台を設け、該駆動部基台に、駆動部基台をレール上で移動させるための駆動装置を設け、前記レールの内の他方に、該レールの上を移動可能な支持基台を設け、前記駆動部基台と支持基台に、前記雪掻き部材の固定下板の両端と雪掻き部材起立保持具を取り付け、かつ、前記駆動部基台と支持基台の間を、複数のプーリを介してワイヤで連結することにより、前記駆動部基台の上下動にともなって、前記支持基台が同速度で同方向に移動するようにしたことを特徴とする請求項１，２又は３に記載の屋根の雪降し装置。
【発明の詳細な説明】
【技術分野】
【０００１】
本発明は、屋根に積もった雪を掻き下ろして除雪するための屋根の雪降し装置に関するものである。
【背景技術】
【０００２】
冬期、雪国では、屋根の雪降しを何度もしなければならず、住民には大変な負担になっている。そのような負担を軽減するために、従来、屋根の雪降し装置がいくつか提案されている。例えば、屋根に配設したパイプに、ボイラーで加熱した湯を通し、屋根に積もった雪を溶かして除雪するようにしたものが提案されている。また、電熱を利用して屋根に積もった雪を溶かすようにしたものもある。
【０００３】
しかし、そのような方式では燃料代や電気代等のランニングコストが膨大になってしまう。そこで、特許文献１には、構造が簡単で、ランニングコストもさほどかからない屋根の雪降し装置が提案されている。
【０００４】
図１５は、従来の屋根の雪降し装置の一例を示す図である。図１５において、１００は雪掻き部材、１０１は雪掻き部材１００を走行させるためのレール、１０２はレール１０１に沿って雪掻き部材１００を走行させるための電動モータや減速ギヤ等の駆動系を収納する駆動部である。
【０００５】
雪掻き部材１００は、移動方向の雪を掻くための前面版１００ａと後面板１００ｂとからなり、前面版１００ａと後面板１００ｂとを組み合わせて断面が三角形になるようにしている。さらに、前進する際に、前面版１００ａにより掻き取られた雪が前面版１００ａの前側に集まるようにするため、後面板１００ｂの上部を、前面版１００ａの前側に覆いかぶさるように伸ばしている。
【０００６】
そして、前面版１００ａの側を屋根斜面の下方に向けて、屋根の最上部から下方に移動させると、屋根の上に積もった雪を掻き取りながら、掻き取った雪を前面版１００ａの前側に集めて、下方に押して行き、屋根の下縁から地上に落下させる。また、雪掻き部材１００を屋根の下端部から上方に引き上げていくと、屋根に積もった雪は後面板１００ｂにより掻き取られながら、後面板１００ｂの前端縁から前面版１００ａの前側に落下していく。
【０００７】
このような雪降し装置によれば、ボイラーや電熱を利用した方式よりランニングコストを抑えながら、屋根の上に積もった雪を自動的に除雪することができる。
【先行技術文献】
【特許文献】
【０００８】
【特許文献１】特開２００８−１９０３０５号公報
【発明の概要】
【発明が解決しようとする課題】
【０００９】
しかしながら、上記従来の屋根の雪降し装置では、雪掻き部材１００の後面板１００ｂの上部を長く伸ばすと、雪掻き部材１００の高さ方向の寸法が大きくなって、雪掻き部材１００を屋根の下端部から上方に引き上げていく際に、雪による抵抗が大きくなってしまう。そのため、後面板１００ｂの上部をあまり長く伸ばすことはできず、前面版１００ａと後面板１００ｂの上部とで形成される雪受け面の面積を大きくできない。その雪受け面
の面積は、直接、雪掻きの量に影響するため、上記従来の屋根の雪降し装置には、一度に大量の雪掻きができないという問題点があった。
【００１０】
本発明は、そのような問題点に鑑み、雪掻き部材を屋根の下端部から上方に引き上げる際には、雪による抵抗を小さくでき、雪掻きのため屋根の上部から下方に移動させる際には、雪受け面の面積を大きくして一度に大量の雪掻きができるようにすることを目的とするものである。
【課題を解決するための手段】
【００１１】
前記課題を解決するため、本願の請求項１にかかる発明は、屋根の斜面上に横方向に、下端縁が屋根の上面に接し、上端縁が下端縁より屋根の斜面の上方向に位置するように配設される固定下板と、該固定下板の上端縁に下端縁がヒンジ結合され、上端縁が屋根の斜面上側表面から上方まで回動可能な可動上板とからなり、屋根の斜面上を上下に移動する雪掻き部材と、前記雪掻き部材の固定下板と一体的に移動し、前記雪掻き部材が屋根の斜面を下方向に移動する際に、前記可動上板の先端部を係止して、可動上板が起立した状態に保持する雪掻き部材起立保持具と、前記屋根の斜面下端部に設けられ、前記雪掻き部材が屋根の下端部に達した時、前記雪掻き部材起立保持具を押し上げて前記可動上板の先端部と雪掻き部材起立保持具との係止を解除して、可動上板を屋根の上面に倒す係止起立保持具押上具と、前記屋根の斜面上端部に設けられ、可動上板が屋根の上面に倒れた状態で上に移動してきた前記雪掻き部材の可動上板の先端部を上方に案内して、該先端部を前記雪掻き部材起立保持具に係止させる雪掻き部材起立ガイド板とを具えたことを特徴とする。
【００１２】
また、本願の請求項２にかかる発明は、請求項１にかかる発明において、前記雪掻き部材を屋根の斜面に沿って引き上げる際に、前記可動上板の先端部に振動を与えることを特徴とする。
【００１３】
また、本願の請求項３にかかる発明は、請求項１又は２にかかる発明において、前記可動上板の先端部長さ方向に、鋸刃を摺動可能に設け、前記雪掻き部材を屋根の斜面を引き上げる際に、前記鋸刃を左右交互に繰り返し摺動させることを特徴とする。
【００１４】
また、本願の請求項４にかかる発明は、請求項１，２又は３にかかる発明において、屋根上面の左右両側に、屋根斜面の上下方向にレールを配設し、該レールの内の一方に、該レールの上を移動可能な駆動部基台を設け、該駆動部基台に、駆動部基台をレール上で移動させるための駆動装置を設け、前記レールの内の他方に、該レールの上を移動可能な支持基台を設け、前記駆動部基台と支持基台に、前記雪掻き部材の固定下板の両端と雪掻き部材起立保持具を取り付け、かつ、前記駆動部基台と支持基台の間を、複数のプーリを介してワイヤで連結することにより、前記駆動部基台の上下動にともなって、前記支持基台が同速度で同方向に移動するようにしたことを特徴とする。
【発明の効果】
【００１５】
本発明は、次のような効果を奏する。
すなわち、請求項１にかかる発明においては、雪掻き部材が屋根の斜面を下方向に移動する際には、雪掻き部材起立保持具で可動上板の先端部を係止して、可動上板が起立した状態に保持し、前記雪掻き部材が屋根の下端部に達した時、係止起立保持具押上具で雪掻き部材起立保持具を押し上げて前記可動上板の先端部と雪掻き部材起立保持具との係止を解除して、可動上板を屋根の上面に倒し、その状態で雪掻き部材を、屋根斜面の上方向に移動させるようにした。その結果、雪掻き部材を屋根の下端部から上方に引き上げる際には、雪による抵抗を小さくでき、雪掻きのため屋根の上部から下方に移動させる際には、雪受け面の面積を大きくして一度に大量の雪掻きができるようになる。
【００１６】
また、請求項２にかかる発明においては、請求項１にかかる屋根の雪降し装置において、前記雪掻き部材を屋根の斜面に沿って引き上げる際に、前記可動上板の先端部に振動を与えるようにしたので、屋根に雪が積もっていても、雪掻き部材を引き上げている間、可動上板の先端部が雪に食い込みやすくなって、引き上げがスムースにできる。
【００１７】
また、請求項３にかかる発明においては、請求項１又は２にかかる屋根の雪降し装置において、前記可動上板の先端部長さ方向に、鋸刃を摺動可能に設け、前記雪掻き部材を屋根の斜面を引き上げる際に、前記鋸刃を左右交互に繰り返し摺動させるようにしたので、屋根に雪が積もっていてそれが凍って固くなっていても、雪掻き部材を引き上げている間、鋸刃で雪を切り込むことにより、可動上板の先端部が雪に食い込みやすくなって、引き上げがスムースにできる。
【００１８】
また、請求項４にかかる発明においては、請求項１，２又は３にかかる屋根の雪降し装置において、前記駆動部基台と支持基台に、前記雪掻き部材の固定下板の両端と雪掻き部材起立保持具を取り付け、前記駆動部基台と支持基台の間を、複数のプーリを介してワイヤで連結することにより、前記駆動部基台の上下動にともなって、前記支持基台が同速度で同方向に移動するようにした。その結果、一つの駆動装置により、駆動部基台と支持基台とを同速度で同方向に上下動させて、それらに取り付けられている雪掻き部材を左右均等に移動させることができる。
【図面の簡単な説明】
【００１９】
【図１】本発明の一実施例に係る屋根の雪降し装置の概略構成を示す図である。
【図２】雪掻き部材を示す図である。
【図３】雪掻き部材と雪掻き部材起立保持具との関係を示す図である。
【図４】雪掻き部材の可動上板を倒した状態を示す図である。
【図５】雪掻き部材起立ガイドを示す図である。
【図６】雪掻き部材起立装置を示す図である。
【図７】雪掻き部材の起立動作を示す図である。
【図８】雪掻き部材の作動機構を示す図である。
【図９】駆動部台座の雪掻き部材取付部周辺を示す図である。
【図１０】駆動部の駆動機構を示す図である。
【図１１】本発明の第２実施例の要部を示す図である。
【図１２】本発明の第３実施例の要部を示す図である。
【図１３】第３実施例における鋸刃の可動上板への取付構造を示す図である。
【図１４】第３実施例における鋸刃の駆動方法の一例を示す図である。
【図１５】従来の屋根の雪降し装置を示す図である。
【発明を実施するための形態】
【００２０】
以下、本発明の実施例を図面に基づいて詳細に説明する。
【実施例１】
【００２１】
図１は、本発明の一実施例に係る屋根の雪降し装置の概略構成を示す図である。図１において、１は雪掻き部材、２は雪掻き部材起立保持具、３は起立保持具押上具、４は雪掻き部材起立ガイド板、Ｒは家の屋根である。
【００２２】
雪掻き部材１は、固定下板１ａと、その上端縁にヒンジ１ｃにより結合された可動上板１ｂとからなっており、屋根Ｒの斜面上を上下に移動させる。雪掻き部材起立保持具２は、固定下板１ａと一体的に移動するようになっており、雪掻きのために雪掻き部材１を下方向に移動させる際には、可動上板１ｂの先端部を係止して、可動上板１ｂが起立した状
態に保持する。
【００２３】
そして、雪掻き部材１が屋根の下端部に達した時には、係止起立保持具押上具３により雪掻き部材起立保持具２を押し上げて雪掻き部材起立保持具２の係止を解除して、可動上板１ｂが屋根側に倒れるようにする。その状態で、雪掻き部材１を屋根Ｒの上端部に向けて引き上げる。そして、雪掻き部材１が屋根Ｒの上端部に達した時、雪掻き部材起立ガイド板４により、可動上板１ｂの先端部を雪掻き部材起立保持具２に係止させる。
【００２４】
図２は、雪掻き部材を示す図である。可動上板１ｂ先端部の左右両側には、係合ローラ１ｄが取り付けられていて、この係合ローラ１ｄが雪掻き部材起立保持具２の係合凹部に係合する。また、可動上板１ｂの上部に、表裏を貫通する長方形の透孔を設け、その中に滑動ローラ１ｅを設けている。この滑動ローラ１ｅは、可動上板１ｂが倒れた状態で雪掻き部材１を、屋根Ｒの上端部に向けて引き上げる際に、屋根Ｒとの摩擦を軽減して、容易に引き上げられるようにするためのものである。
【００２５】
図３は、雪掻き部材と雪掻き部材起立保持具との関係を示す図である。雪掻き部材起立保持具２は、板状体により形成されていて、上部に設けた切欠部に係合凹部２ａと傾斜部２ｂが形成され、中間部に長孔２ｄが形成されていて、長孔２ｄの中に支持ピン２ｅを通して支持されており、支持ピン２ｅが長孔２ｄの中でスライドすることにより、雪掻き部材起立保持具２が上下に移動できるようになっている。そして、常時は、バネ２ｆにより下に引き下げられている。
【００２６】
図３（Ａ）は、屋根Ｒの斜面に沿って雪掻き部材１を下方向に移動させる際の状態を示しており、雪掻き部材起立保持具２の係合凹部２ａに係合ローラ１ｄを係止させて、可動上板１ｂを起立させた状態を示している。この状態で雪掻き部材１を下方向に移動させていけば、固定下板１ａと可動上板１ｂで大きな雪受け面を形成でき、屋根Ｒ上の大量の雪を掻き取ることができる。
【００２７】
図３（Ｂ）は、雪掻き部材１と雪掻き部材起立保持具２が屋根Ｒの下端部に達して、雪掻き部材起立保持具２の下端傾斜部２ｃが、起立保持具押上具３の押上ローラ３ａに当接し、雪掻き部材起立保持具２が上に押し上げられた状態を示している。そのようにして雪掻き部材起立保持具２が上に押し上げられると、係合ローラ１ｄが雪掻き部材起立保持具２の係合凹部２ａから外れて、雪掻き部材１の可動上板１ｂは、点線で示すように、自重により屋根Ｒの方に倒れる。なお、可動上板１ｂが自重だけでは倒れにくい場合には、雪掻き部材起立保持具２側にバネを設け、係合凹部２ａに係合ローラ１ｄを係合させる際には、そのバネを圧縮しながら係合させ、係合を解いたとき、そのバネにより可動上板１ｂを突き放すようにすることもできる。
【００２８】
図４は、雪掻き部材の可動上板を倒した状態を示す図である。雪掻き部材１はこの状態で、雪掻き部材起立保持具２とともに、屋根Ｒの上端部に向けて引き上げられる。その際、可動上板１ｂが倒れているため、屋根Ｒの上に雪が積もっていても、大きな抵抗を受けることなく引き上げることができる。
【００２９】
図５は、雪掻き部材起立ガイドを示す図である。雪掻き部材起立ガイド板４は、板状体により形成されていて、屋根の下方に向かって、円弧状の可動上板ガイド部４ａが形成され、その反対側には、折曲げ加工により背板４ｂが設けられている。また、下部には、雪掻き部材起立保持具２の長孔２ｄと同様に、支持ピン４ｄを通してスライド可能に取り付けられる摺動長孔４ｃが形成されている。
【００３０】
この雪掻き部材起立ガイド板４は、図６に示すように、屋根Ｒの上に取り付けられた支
持板５に取り付けられたバネ６に背板４ｂを当接し、かつ、屋根Ｒの上に取り付けられた支持部材（図示せず）に、摺動長孔４ｃに通した支持ピン４ｄにより、スライド可能に取り付けられる。さらに、支持板５には、雪掻き部材１の係合ローラ１ｄを雪掻き部材起立保持具２の係合凹部２ａに係合させる際に、可動上板１ｂの背側を押し込むための押圧板７が設けられている。
【００３１】
図７は、雪掻き部材の起立動作を示す図である。雪掻き部材１は、図４に示したような、可動上板１ｂが倒れている状態で、雪掻き部材起立保持具２とともに、屋根Ｒの上端部に向けて引き上げられてくる。そして、可動上板１ｂの先端部が雪掻き部材起立ガイド板４に達すると、可動上板１ｂは、図７（Ａ）に示すように、雪掻き部材起立ガイド板４の円弧上の可動上板ガイド部４ａに沿って立ち上がっていく。その際、可動上板１ｂの重さにより雪掻き部材起立ガイド板４が押され、摺動長孔４ｃに通した支持ピン４ｄにより、スライドし、バネ６を押し込みながらスライドしていく。雪掻き部材起立ガイド板４がそのようにスライドすることにより、可動上板１ｂの先端部が可動上板ガイド部４ａに沿って円滑に立ち上がっていく。
【００３２】
その後、図７（Ｂ）に示すように、可動上板１ｂが立ち上がり、バネ６はさらに縮む。そして、図７（Ｃ）に示すように、可動上板１ｂの背が押圧板７に当接すると、可動上板１ｂは押圧板７に押されて、係合ローラ１ｄが雪掻き部材起立保持具２の傾斜部２ｂを越え、係合凹部２ａに入り込んで係合状態になる。
【００３３】
図８は、雪掻き部材の作動機構を示す図である。この図は、本発明の一実施例に係る屋根の雪降し装置を設置した屋根の上面を示している。図９に、駆動部基台８の周辺を拡大して示すように、雪掻き部材１の固定下板１ａの一端が駆動部基台８に固定されており、雪掻き部材起立保持具２も、支持ピン２ｅを介して駆動部基台８に取り付けられている。そして、駆動部基台８の上には、モータ９とギヤ機構１０が設けられている。モータ９の回転力は、ギヤ機構１０を介して歯車１１に与えられる。また、図８には示していないが、歯車１１の上には、図１０に示すような、歯車１１とかみ合う歯の付いた伝動ベルト１７が屋根の斜面の上下方向に設置されている。
【００３４】
また、屋根の斜面上の上下方向にレール１２が設けられていて、駆動部基台８は、そのレール１２の上をスライドして移動できるようになっている。したがって、モータ９を駆動すれば、それにともなって歯車１１が回転し、その歯車１１が伝動ベルト１７とかみ合って、駆動部基台８がレール１２の上を上下方向に移動する。
【００３５】
一方、雪掻き部材１の他端には支持基台１４が取り付けられ、その支持基台１４は、レール１３の上をスライドして上下方向に移動できるようになっている。駆動部基台８側と同様に、雪掻き部材１の固定下板１ａの他端が支持基台１４に固定されており、雪掻き部材起立保持具２も、支持ピン２ｅを介して支持基台１４に取り付けられている。
【００３６】
そして、駆動部基台８の上端から、屋根Ｒの上端部に設けたプーリ１６−１，下端部に設けたプーリ１６−２，反対側下端部に設けたプーリ１６−３を介してワイヤ１５−１を張り、その他端を支持基台１４の下端に連結している。また、駆動部基台８の下端から、屋根Ｒの下端部に設けたプーリ１６−４，上端部に設けたプーリ１６−５，反対側上端部に設けたプーリ１６−６を介してワイヤ１５−２を張り、その他端を支持基台１４の上端に連結している。
【００３７】
そのようにした結果、モータ９で歯車１１を回転させて駆動部基台８を下方向に移動させると、ワイヤ１５−１で引っ張られて支持基台１４も同速度で下方向に移動する。また、駆動部基台８を上方向に移動させると、ワイヤ１５−２で引っ張られて支持基台１４も
同速度で上方向に移動する。そのようにして、雪掻き部材１は駆動部基台８と支持基台１４で左右両端が支持されながら、上下に安定的に移動することができる。そして、上方向に移動したときは最上部で雪掻き部材起立ガイド板４により可動上板１ｂが立ち上げられ、雪掻きを行いながら下方向に移動したときは下端部で起立保持具押上具３により雪掻き部材起立保持具２の係止が解かれ、可動上板１ｂが倒れることは先に説明した通りである。
【００３８】
なお、図示はしないが、駆動部基台８の移動範囲の上は、金属製のカバーをかぶせて、駆動部基台８やレール１２が雪に埋まって、駆動部基台８の移動が阻害されないようにする。また、このような屋根の雪降し装置を構成する各部材は、丈夫で錆びない材料であるステンレスやアルミ等の金属で形成するのが望ましいが、雪掻き部材１の可動上板１ｂは、景観上目立たないように、透明なアクリル樹脂や塩化ビニル樹脂等のプラスチック材料を用いてもよい。
【実施例２】
【００３９】
図１１は、本発明の第２実施例の要部を示す図である。この実施例では、雪掻き部材１の可動上板１ｂに接するようにカム１８を設け、さらに、支持基台１４の上にモータを設ける。さらに、支持基台１４の上に設けたモータから歯車等の伝動装置を介してカム１８を回転させられるようにする。そして、屋根Ｒの下部から雪掻き部材１を上方に引き上げる際に、カム１８を回転させて可動上板１ｂを振動させ、それにともなって可動上板１ｂの先端部を振動させる。
【００４０】
そのようにして、屋根Ｒの上に雪が積もっていても、可動上板１ｂを振動させることにより、可動上板１ｂ先端部が雪を掻き分けられるようにして、雪掻き部材１を上方に引き上げ易くする。
【実施例３】
【００４１】
図１２は、第３実施例における鋸刃の可動上板への取付構造を示す図である。この実施例では、雪掻き部材１の可動上板１ｂの先端に鋸刃２２を、左右にスライド可能な状態で取り付け、屋根Ｒの下部から雪掻き部材１を上方に引き上げる際にそれを左右に動かし、屋根に積もった雪を切断しながら引き上げしていく。可動上板１ｂの先端への鋸刃２２の取り付けは、図１３に示すように、可動上板１ｂの先端部に２枚の板状体１ｆ，１ｇを積層して、鋸刃２２の胴体部を収納する溝を形成し、その溝の中に鋸刃２２をはめ込む。２枚の板状体１ｆ，１ｇは、両者を貫通するネジ又はリベットで、可動上板１ｂの先端部に取り付けることができる。
【００４２】
鋸刃２２の作動は、支持基台１４の上に設けたモータ１９，ギヤ機構２０によりカム２１を駆動して行う。図１４は、第３実施例における鋸刃の駆動方法の一例を示す図である。上記溝の端部にバネ２３を配置し、鋸刃２２をカム２１の方向に押し付ける。その状態でカム２１を回転させると、カム２１の大径部で鋸刃２２をバネ２３の方向に押し、カム２１がさらに回転して小径部が鋸刃２２側にくると、バネ２３の力で鋸刃２２をカム２１側に動かす。そのような動作を繰り返せば、鋸刃２２を左右に動かすことができる。
【符号の説明】
【００４３】
１  雪掻き部材
１ａ  固定下板
１ｂ  可動上板
１ｃ  ヒンジ
１ｄ  係合ローラ
１ｅ  滑動ローラ
２  雪掻き部材起立保持具
２ａ  係合凹部
２ｂ  傾斜部
２ｃ  下端傾斜部
２ｄ  長孔
２ｅ  支持ピン
２ｆ  バネ
３  起立保持具押上具
３ａ  押上ローラ
４  雪掻き部材起立ガイド板
４ａ  可動上板ガイド部
４ｂ  背板
４ｃ  摺動長孔
４ｄ  支持ピン
５  支持板
６，２３  バネ
７  押圧板
８  駆動部基台
９，１９  モータ
１０，２０  ギヤ機構
１１  歯車
１２，１３  レール
１４  支持基台
１５-１，１５−２  ワイヤ
１６−１〜１６−６  プーリ
１７  伝動ベルト
１８，２１  カム
２２  鋸刃
【図１】
2017066734.tif 000003
【図２】
2017066734.tif 000004
【図３】
2017066734.tif 000005
【図４】
2017066734.tif 000006
【図５】
2017066734.tif 000007
【図６】
2017066734.tif 000008
【図７】
2017066734.tif 000009
【図８】
2017066734.tif 000010
【図９】
2017066734.tif 000011
【図１０】
2017066734.tif 000012
【図１１】
2017066734.tif 000013
【図１２】
2017066734.tif 000014
【図１３】
2017066734.tif 000015
【図１４】
2017066734.tif 000016
【図１５】
2017066734.tif 000017